(57)【要約】【目的】所望の静止画を動画に挿入する。【構成】動画に挿入すべき静止画ＩＳを選択する。静止画ＩＳは，動画を構成する画像ｉｍとは異なるものである。静止画ＩＳを挿入すべき位置が指定される。選択された静止画ＩＳが指定たれさ位置に挿入される。静止画は，動画を構成する画像のものに制限されないので，比較的自由な静止画を動画に挿入することができる。【選択図】  図２
2004186925.tif 000002
【特許請求の範囲】
【請求項１】
多数駒の画像を一定周期で順に繰り返して表示することにより得られる動画における静止画挿入位置を指定する挿入位置指定手段，
上記動画を構成する駒の画像とは異なる静止画であって，上記多数駒の静止画の中から上記挿入位置指定手段によって指定された位置に挿入する静止画を指定する静止画指定手段，および
上記挿入位置指定手段によって指定された挿入位置に上記静止画指定手段によって指定された静止画を挿入し，挿入された静止画の表示時間が上記一定周期よりも長い時間表示する動画データを生成する動画生成手段，
を備えた動画データ生成装置。
【請求項２】
上記挿入位置指定手段が，
上記動画を構成する多数駒の画像のうち複数駒の画像を再生順序にしたがって一覧表示する表示装置，および
上記表示装置に表示された複数駒の画像の中から静止画を挿入すべき位置に相当する画像を指定する指定手段，
を備えた請求項１に記載の動画データ生成装置。
【請求項３】
上記静止画指定手段によって指定された静止画を，上記指定手段によって指定された画像に表示されていた位置に表示するように上記表示装置を制御する第１の表示制御手段をさらに備えた請求項２に記載の動画データ生成装置。
【請求項４】
上記静止画指定手段によって指定された静止画を，上記指定手段によって指定された画像に表示されていた位置に表示することにより，挿入された静止画以後の動画を構成する各画像をずらして表示するように上記表示装置を制御する第２の表示制御手段をさらに備えた請求項３に記載の動画データ生成装置。
【請求項５】
多数駒の画像を一定周期で順に繰り返して表示することにより得られる動画における静止画挿入位置を指定し，
上記動画を構成する駒の画像とは異なる静止画であって，上記多数駒の静止画の中から指定された位置に挿入する静止画を指定し，
指定された挿入位置に指定された静止画を挿入し，挿入された静止画の表示時間が上記一定周期よりも長い時間表示する動画データを生成する，
動画データ生成装置の制御方法。
【発明の詳細な説明】
【０００１】
【技術分野】
この発明は，動画データ生成装置およびその制御方法に関する。
【０００２】
【発明の背景】
動画ファイルによって表される動画の内容を確認するために静止画を動画の最初または途中に表示することが考えられている。しかしながら，使用される静止画は，動画を構成する画像が用いられるものであるため（例えば，特許文献１），利用できる静止画に制限がある。
【０００３】
【特許文献１】
特開平５−２０３６７号公報
【０００４】
【発明の開示】
この発明は，使用される静止画の範囲を広げることを目的とする。
【０００５】
この発明による動画データ生成装置は，多数駒の画像を一定周期で順に繰り返して表示することにより得られる動画における静止画挿入位置を指定する挿入位置指定手段，上記動画を構成する駒の画像とは異なる静止画であって，上記多数駒の静止画の中から上記挿入位置指定手段によって指定された位置に挿入する静止画を指定する静止画指定手段，および上記挿入位置指定手段によって指定された挿入位置に上記静止画指定手段によって指定された静止画を挿入し，挿入された静止画の表示時間が上記一定周期よりも長い時間表示する動画データを生成する動画生成手段を備えていることを特徴とする。
【０００６】
この発明は，上記動画データ生成装置に適した制御方法も提供している。すなわち，この方法は，多数駒の画像を一定周期で順に繰り返して表示することにより得られる動画における静止画挿入位置を指定し，上記動画を構成する駒の画像とは異なる静止画であって，上記多数駒の静止画の中から指定された位置に挿入する静止画を指定し，指定された挿入位置に指定された静止画を挿入し，挿入された静止画の表示時間が上記一定周期よりも長い時間表示する動画データを生成するものである。
【０００７】
この発明によると，動画（動画中でも動画の最初でもよい）の静止画挿入位置およびその挿入位置に挿入される静止画が指定される。指定された静止画が，動画の中の指定された静止画挿入位置に挿入されて表示される動画を表す動画データが生成される。静止画は，動画を構成する各画像が繰り返して表示される一定周期の時間よりも長い時間表示される。動画に挿入される静止画は，動画を構成する各画像と異なるものである。使用される静止画の範囲が動画を構成するものではないので，使用できる静止画の範囲が広がる。
【０００８】
上記挿入位置指定手段は，たとえば，上記動画を構成する多数駒の画像のうち複数駒の画像を再生順序にしたがって一覧表示する表示装置，および上記表示装置に表示された複数駒の画像の中から静止画を挿入すべき位置に相当する画像を指定する指定手段を備えている。
【０００９】
上記静止画指定手段によって指定された静止画を，上記指定手段によって指定された画像に表示されていた位置に表示するように上記表示装置を制御する第１の表示制御手段をさらに備えるようにしてもよい。
【００１０】
上記静止画指定手段によって指定された静止画を，上記指定手段によって指定された画像に表示されていた位置に表示することにより，挿入された静止画以後の動画を構成する各画像をずらして表示するように上記表示装置を制御する第２の表示制御手段をさらに備えるようにしてもよい。
【００１１】
【実施例の説明】
図１は，この発明の実施例を示すもので，動画再生機能を有するディジタル・カメラの電気的構成を示すブロック図である。
【００１２】
ディジタル・カメラの全体の動作は，ＣＰＵ７によって統括される。
【００１３】
ディジタル・カメラには，決定ボタン，上下左右ボタン，シャッタ・レリーズ・ボタン，モード設定ボタン等の各種ボタン１５が含まれている。各種ボタン１５から出力される信号は，ＣＰＵ７に入力する。モード設定ボタンによって設定されるモードには，撮影モード，再生モード，静止画挿入モード（この静止画挿入モードについて詳しくは後述する）などがある。
【００１４】
ディジタル・カメラには，動作プログラムその他必要なデータが記憶されているＲＯＭ９が含まれている。
【００１５】
撮影モードが設定されると，ズーム・レンズ１によって被写体像を表す光像がＣＣＤ２の受光面上に結像する。
【００１６】
ＣＰＵ７によってタイミング・ジェネレータ６が駆動される。タイミング・ジェネレータ６においてクロック・パルスが生成される。生成されたクロック・パルスがドライバ５に与えられる。ドライバ５において転送パルス等が生成される。生成された転送パルス等がＣＣＤ２に与えられる。
【００１７】
ＣＣＤ２は，ドライバ５から与えられた転送パルスにもとづいて駆動させられ，被写体像を表す映像信号が出力される。ＣＣＤ２から出力された映像信号は，アナログ／ディジタル変換回路３においてディジタル画像データに変換される。
【００１８】
変換されたディジタル画像データは，画像処理回路４においてガンマ補正，色バランス調整，輝度データ／色差データ生成などの画像処理が行われる。画像処理回路４から出力された輝度データおよび色差データは，インターフェイス１１を介して表示装置１２に与えられる。表示装置１２の表示画面上に，撮像によって得られた画像が表示される。
【００１９】
シャッタ・レリーズ・ボタンが押されると，上述のように，画像処理回路４から出力された輝度データおよび色差データは，ＲＡＭ８に与えられ，一時的に記憶される。輝度データおよび色差データは，ＲＡＭ８から読み出され，画像圧縮回路１０に与えられ，圧縮処理が行われる。圧縮された輝度データおよび色差データは，ＲＡＭ８に与えられ，再び記憶される。圧縮された輝度データおよび色差データは，ＲＡＭ８から読み出され，ストレージ・ディバイス（メモリ・カードなど）１３に与えられ，記録される。
【００２０】
再生モードについては，この発明とはあまり関係ないので説明を省略する。また，静止画挿入モードについては，後述する。
【００２１】
図２は，この実施例による静止画挿入モードにおいて動画に静止画を挿入する様子を示している。
【００２２】
動画は，多数の駒の画像ｉｍから構成されている。これらの多数の駒の画像ｉｍが１／３０秒周期（１／３０秒周期でなくともよいのはいうまでもない）で表示されることにより，動画として表示される。
【００２３】
この実施例においては，静止画（たとえば動画のタイトルを表わす）ＩＳが動画の先頭または動画中に挿入される。挿入された静止画ＩＳは，１／３０秒の一定周期よりも長い時間の間表示される。静止画ＩＳは，動画を構成する各画像ｉｍとは異なるものが用いられる。動画を構成する各画像ｉｍを静止画としないので，比較的任意の静止画を動画に挿入することができる。
【００２４】
図３は，静止画の挿入方法の一例を示している。動画にフレーム間圧縮が行われていない場合の静止画の挿入方法の一例である。
【００２５】
動画にフレーム間圧縮が行われていない場合には，静止画を表示する時間に相当する駒数の静止画ＩＳが生成される。静止画の表示周期も動画の表示周期と同じ１／３０秒であり，１／３０秒周期で静止画ＩＳが繰り返して表示される。たとえば，３０駒の静止画ＩＳが繰り返して表示されることにより，１秒間の間静止画ＩＳが表示されることとなる。
【００２６】
図４は，静止画挿入方法の他の一例を示している。動画にフレーム間圧縮が行われている場合の静止画の挿入方法の一例である。
【００２７】
動画にフレーム間圧縮が行われている場合には，最初の一駒の静止画ＩＳが一駒分の完全な静止画である。最初の一駒の静止画ＩＳの次からは，前の駒との動きの差分の画像ｉｓ１，ｉｓ２，ｉｓ３，ｉｓ４，ｉｓ５などが生成される。ただし，表示される静止画は，動きが無いため，最初の一駒の静止画ＩＳと静止画の表示時間のみを覚えておけば済むだろう。
【００２８】
図５は，動画に静止画を挿入する（静止画挿入モード）ときの処理手順を示すフローチャートである。図６から図９は，ディジタル・カメラの表示装置１２の表示画面に表示される画像の一例である。
【００２９】
モード設定ボタンにより静止画挿入モードが選択されると，図６に示すように表示装置１２の表示画面３０には，ディジタル・カメラのストレージ・ディバイス１３に記録されている動画ファイルのアイコン４０，５０および６０が表示される（ステップ２１）。動画ファイルのアイコン４０，５０および６０は，それぞれの動画ファイルによって表される動画の代表的な画像を示しているものである。動画ファイル６０の回りには，動画ファイルを指定するためのフレーム３１が表示されている。フレーム３１は，ボタン１５に含まれている上下左右ボタンの操作に応じて動画ファイル４０，５０または６０を移動する。所望の動画ファイルをフレーム３１が囲んでいる状態でボタン１５に含まれている決定ボタンが押される。すると，動画ファイルが選択されたこととなる（ステップ２２）。
【００３０】
動画ファイルが選択されると，表示画面３０には，図７に示すようにディジタル・カメラのストレージ・ディバイス１３に記録されている静止画ファイルのアイコン７１，７２および７３が表示される。静止画ファイルのアイコン７１，７２および７３は，動画ファイルとは別にストレージ・ディバイス１３に記録されている静止画ファイルによって表される静止画を表すものである。静止画ファイルによって表される静止画は，動画ファイルによって表される動画を構成する各画像とは異なるものである。もっとも，上述のようにして選択された動画ファイルのアイコン６０に対応する動画を構成する画像と異なる静止画が表示されればよい。これらの静止画は，動画を構成する各画像から抽出されるのではなく，撮像によって得られたり，ボタン１５によってテキストの入力によって得られることとなろう。
【００３１】
静止画アイコン７３の回りには，フレーム３１が表示されている。このフレーム３１は，上述したように，上下左右ボタンの操作に応じて，静止画アイコン７１，７２および７３の間を移動する。決定ボタンが押されたときにフレーム３１によって囲まれていた静止画アイコンに対応する静止画が選択されたこととなる（ステップ２３）。
【００３２】
静止画アイコンが選択されると，図８に示すように選択された動画ファイルによって表される動画を構成する９駒の各画像６１〜６９が表示画面３０上に表示順に一覧表示される（ステップ２５）。画像６５の回りには，フレーム３１が表示されている。上下左右ボタンの操作に応じて，フレーム３１は，各画像６１〜６９の間を移動する。右下の画像６９の回りにフレーム３１が表示されているときに，さらに上下左右ボタンの右矢印が押されると，続く画像があれば，画像６９の次の９駒の画像が表示画面３０に表示される。左上の画像６１の回りにフレーム３１が表示されているときに，さらに上下左右ボタンの左矢印が押されると，前の画像があれば，画像６１の前の９駒の画像が表示画面３０上に表示される。
【００３３】
表示画面３０上に表示されている画像のうち，静止画を挿入したい位置の画像上にフレーム３１が合わせられ，決定ボタンが押される。選択された静止画を挿入すべき位置が指定されたこととなる（ステップ２４）。すると，図９に示すように，選択された位置（図８において画像６５が存在していた位置）に選択された静止画７３が表示される（ステップ２７）。画像６５が存在していた位置に静止画７３が表示されることにより，画像６５以後の画像の表示位置が順にずれることとなる。選択された位置に静止画７３が表示されるように動画ファイルが生成される（ステップ２８）。上述したように，静止画が動画の表示周期（１／３０秒）よりも長い時間表示されるように，動画ファイルが生成される。静止画の表示時間は，あらかじめ決められていることとなろう。もっとも，静止画の表示時間を入力できるようにしてもよい。
【図面の簡単な説明】
【図１】図１は，ディジタル・カメラの電気的構成を示すブロック図である。
【図２】動画に静止画を挿入する様子を示している。
【図３】フレーム間圧縮が無い場合に静止画データを生成する処理を示している。
【図４】フレーム間圧縮の場合の静止画データを生成する処理を示している。
【図５】ディジタル・カメラの処理手順を示すフローチャートである。
【図６】ディジタル・カメラの表示画面に表示される画像の一例である。
【図７】ディジタル・カメラの表示画面に表示される画像の一例である。
【図８】ディジタル・カメラの表示画面に表示される画像の一例である。
【図９】ディジタル・カメラの表示画面に表示される画像の一例である。
【符号の説明】
７  ＣＰＵ
１２  表示装置
１３  ストレージ・ディバイス
３０  表示画面
３１  フレーム
４０，５０，６０  動画アイコン
６１〜６９，ｉｍ  動画を構成する画像
７１，７２，７３  静止画アイコン
７３，ＩＳ  動画に挿入される静止画
【図１】
2004186925.tif 000003
【図２】
2004186925.tif 000004
【図３】
2004186925.tif 000005
【図４】
2004186925.tif 000006
【図５】
2004186925.tif 000007
【図６】
2004186925.tif 000008
【図７】
2004186925.tif 000009
【図８】
2004186925.tif 000010
【図９】
2004186925.tif 000011